(57)【要約】【課題】遊技場内の環境を改善する。【解決手段】遊技機５による遊技を遊技客に提供する遊技場１の環境を制御する装置であって、遊技場１内に供給する酸素を製造する酸素製造装置４１と、遊技場１内遊技機５の近傍のタバコの喫煙を検出する炎センサ２７と、炎センサ２７が炎を検出したとき、検出した箇所の近傍に酸素を供給することを特徴とする環境装置７。この様にすることで、タバコの煙による煙害の改善が図れ、遊技客の顧客満足度が向上される。【選択図】図１
2004121550.tif 000002
【特許請求の範囲】
【請求項１】
遊技機による遊技を遊技客に提供する遊技場の環境を制御する装置であって、
遊技場内に供給する酸素を製造する酸素製造手段と、
遊技場内の環境を検出する環境検出手段と、
上記環境検出手段が検出した遊技場内の所定のエリアの環境が酸素を要求する酸素要求状態であるかを判断する酸素要求状態判断手段と、
上記酸素要求状態判断手段が酸素要求状態であると判断した場合に、該酸素要求状態であると判断された上記所定のエリアに、上記酸素製造手段によって製造された酸素を供給する酸素供給手段と
を備えることを特徴とする遊技場の環境装置。
【請求項２】
上記環境検出手段は、空気中に含まれる微粒子の数、酸素濃度、人の数、稼働状態の遊技機の数、炎、又は遊技機の稼働状態を検出することを特徴とする請求項１に記載の遊技場の環境装置。
【請求項３】
上記酸素要求状態判断手段は、空気中に含まれる微粒子の数が所定数以上の場合、酸素濃度が所定濃度以下の場合、人の数が所定数以上の場合、稼働状態の遊技機の数が所定数以上の場合、炎がある場合、又は遊技機の稼働状態が所定時間以上連続している場合に酸素要求状態であると判断することを特徴とする請求項１、又は請求項２に記載の遊技場の環境装置。
【発明の詳細な説明】
【０００１】
【発明の属する技術分野】
本発明は、遊技機を設置して、遊技客に遊技を提供する遊技場の環境を制御する技術に関する。
【０００２】
【従来の技術】
従来、遊技場の来場者に快適な遊技環境を提供して、来場者数を増加させると共に、遊技をより多く楽しんでもらうことで、遊技場の売り上げ向上を図っている。このため遊技場の環境を快適にする手段として、空気中の微粒子などを捕獲する空気清浄機や冷暖房を行うエアコンディショナーを設置している。
【０００３】
又、環境を更に良くする目的で、例えば特許文献１に開示されている様に、大当りの時に、遊技者に向かって酸素を吹き出すことで、タバコの煙害の改善を図る技術が開示されている。この技術は、大当りが発生したときに遊技者の嗅覚的器官に心地よい刺激を与えて、斬新な嗅覚的臨場感を高めると共に、店内環境の改善をも図ることを行う。
【０００４】
【特許文献１】
特開平８−３３２２７３号公報　（段落番号０００４、００３０参照。）。
【０００５】
【発明が解決しようとする課題】
しかしながら、従来の技術では、大当りのときの嗅覚的臨場感を高め、序でに環境をも改善しようとする技術であったため、大当りを引いて絶頂状態の遊技者にとっては、満足なものであったが、他の大多数の遊技者には、殆ど影響を与えず、大多数の遊技者が感じる不快感や遊技への参加意欲の減退感を改善することが出来なかった。例えば、喫煙者が近くにいたり、大勢の遊技者が居ると煙や人息で、空気が汚されたり、酸素濃度が低下したりして、不快感を感じて、遊技を止めたくなったり、より環境の良い遊技場へ変わりたくなる。又、単調な遊技を長時間続けていると、睡魔が生じて、遊技への参加意欲が減退し、遊技を続行しなくなる。或いは、大当りを引けない状態が長時間続くと、遊技の続行意欲がなくなる。
【０００６】
従って、上記不具合により、遊技場の稼働率の低下、集客率の低下、リターン率の低下を招く虞があり、遊技場の経営に悪影響を与えることが考えられる。
そこで、本発明では、遊技場の稼働率の向上、集客率の向上、リターン率の向上、エネルギー消費率の向上、及び省資源の達成を図ることが出来る遊技場の環境装置の提供を目的とする。
【０００７】
【課題を解決するための手段及び発明の効果】
上記課題を解決するための手段として、請求項１の発明の遊技場の環境装置は、遊技機による遊技を遊技客に提供する遊技場の環境を制御する装置であって、遊技場内に供給する酸素を製造する酸素製造手段と、遊技場内の環境を検出する環境検出手段と、上記環境検出手段が検出した遊技場内の所定のエリアの環境が酸素を要求する酸素要求状態であるかを判断する酸素要求状態判断手段と、上記酸素要求状態判断手段が酸素要求状態であると判断した場合に、該酸素要求状態であると判断された上記所定のエリアに、上記酸素製造手段によって製造された酸素を供給する酸素供給手段とを備えることを要旨とする。
【０００８】
これにより、酸素要求状態判断手段によって、環境検出手段により検出された遊技場内の所定のエリアの環境が酸素を要求する酸素要求状態であるとされたとき、酸素供給手段がその所定のエリアに酸素製造手段によって製造された酸素を供給する。
【０００９】
従って、例えば、喫煙者が近くにいたり、大勢の遊技者が居て、煙や人息で、空気が汚されたり、酸素濃度が低下したりして、酸素を供給することによって環境が改善可能な状態、つまり酸素要求状態になったエリアに酸素が供給され、空気の汚れ度合いが低減されたり、酸素濃度が高くされる。
【００１０】
又、単調な遊技、例えば大当りが発生しない状態の遊技が長時間続いたことによる睡魔が酸素によって覚醒される。
この結果、空気の汚れや酸素濃度の低下が改善され、しかも単調な遊技の継続による睡魔も覚醒され、遊技場の稼働率が向上され、集客率やリターン率も向上し、遊技場の経営に悪影響を与える不具合が除去されて、良好になるという極めて優れた効果を奏する。
【００１１】
しかも、酸素要求状態であるエリアだけに酸素を供給するため、遊技場の全体や、全ての遊技機の近傍に酸素を供給する場合に比べて、酸素の製造量（酸素の生成量とも言う。）を低減、或いは節約できて吸着剤などの物質の消費量を少なくでき、かつ酸素を搬送するための圧縮機などのエネルギの消費量をも低減、或いは節約することが可能になる。従って、酸素を製造したり、搬送したりするためのエネルギの消費率の向上と、酸素を製造するための吸着剤などの物質の省資源化とを揃って達成することが出来る。
【００１２】
請求項２の発明の遊技場の環境装置は、上記環境検出手段は、空気中に含まれる微粒子の数、酸素濃度、人の数、稼働状態の遊技機の数、炎、又は遊技機の稼働状態を検出することを特徴とする請求項１に記載の遊技場の環境装置を要旨とする。
【００１３】
これにより、酸素要求状態判断手段によって、環境検出手段により検出された遊技場内の所定のエリアの空気中に含まれる微粒子の数が例えば所定数以上になったとき、酸素濃度が例えば所定濃度以下になったとき、人の数が例えば所定数以上になったとき、稼働状態の遊技機の数が例えば所定数以上になったとき、炎が例えば発生したとき、又は遊技機の稼働状態が例えば所定時間以上連続したときに、酸素を要求する酸素要求状態であるとされ、酸素供給手段がその所定のエリアに酸素製造手段によって製造された酸素を供給する。
【００１４】
従って、例えば、喫煙者が近くにいたり、大勢の遊技者が居て、煙や人息で、空気が汚されたり、酸素濃度が低下したりして、酸素を供給することによって環境が改善可能な状態、つまり酸素要求状態になったエリアに酸素が供給され、空気の汚れ度合いが低減されたり、酸素濃度が高くされる。
【００１５】
又、単調な遊技、例えば大当りが発生しない状態の遊技が長時間続いたことによる睡魔が酸素によって覚醒される。
この結果、空気の汚れや酸素濃度の低下が改善され、しかも単調な遊技の継続による睡魔も覚醒され、遊技場の稼働率が向上され、集客率やリターン率も向上し、遊技場の経営に悪影響を与える不具合が除去されて、良好になるという極めて優れた効果を奏する。
【００１６】
しかも、酸素要求状態であるエリアだけに酸素を供給するため、遊技場の全体や、全ての遊技機の近傍に酸素を供給する場合に比べて、酸素の製造量を低減、或いは節約できて吸着剤などの物質の消費量を少なくでき、かつ酸素を搬送するための圧縮機などのエネルギの消費量をも低減、或いは節約することが可能になる。従って、酸素を製造したり、搬送したりするためのエネルギの消費率の向上と、酸素を製造するための吸着剤などの物質の省資源化とを揃って達成することが出来る。
【００１７】
請求項３の発明の遊技場の環境装置は、上記酸素要求状態判断手段は、空気中に含まれる微粒子の数が所定数以上の場合、酸素濃度が所定濃度以下の場合、人の数が所定数以上の場合、稼働状態の遊技機の数が所定数以上の場合、炎がある場合、又は遊技機の稼働状態が所定時間以上連続している場合に酸素要求状態であると判断することを特徴とする請求項１、又は請求項２に記載の遊技場の環境装置を要旨とする。
【００１８】
これにより、酸素要求状態判断手段によって、環境検出手段により検出された遊技場内の所定のエリアの空気中に含まれる微粒子の数が所定数以上になったとき、酸素濃度が所定濃度以下になったとき、人の数が所定数以上になったとき、稼働状態の遊技機の数が所定数以上になったとき、炎が発生したとき、又は遊技機の稼働状態が所定時間以上連続したときに、酸素を要求する酸素要求状態であるとされ、酸素供給手段がその所定のエリアに酸素製造手段によって製造された酸素を供給する。
【００１９】
従って、例えば、喫煙者が近くにいたり、大勢の遊技者が居て、煙や人息で、空気が汚されたり、酸素濃度が低下したりして、酸素を供給することによって環境が改善可能な状態、つまり酸素要求状態になったエリアに酸素が供給され、空気の汚れ度合いが低減されたり、酸素濃度が高くされる。
【００２０】
又、単調な遊技、例えば大当りが発生しない状態の遊技が長時間続いたことによる睡魔が酸素によって覚醒される。
この結果、空気の汚れや酸素濃度の低下が改善され、しかも単調な遊技の継続による睡魔も覚醒され、遊技場の稼働率が向上され、集客率やリターン率も向上し、遊技場の経営に悪影響を与える不具合が除去されて、良好になるという極めて優れた効果を奏する。
【００２１】
しかも、酸素要求状態であるエリアだけに必要な量の酸素を供給するため、遊技場の全体や、全ての遊技機の近傍に酸素を供給する場合に比べて、酸素の製造量を低減、或いは節約できて吸着剤などの物質の消費量を少なくでき、かつ酸素を搬送するための圧縮機などのエネルギの消費量をも低減、或いは節約することが可能になる。従って、酸素を製造したり、搬送したりするためのエネルギの消費率の向上と、酸素を製造するための吸着剤などの物質の省資源化とを揃って達成することが出来る。
【００２２】
【発明の実施の形態】
次に発明の実施の形態を説明する。
図１は、遊技場１の遊技島３に取り付けられている遊技機５の状態を示す説明図である。
【００２３】
図１に示す遊技機５の近傍には、遊技場１の空調環境を制御する環境装置７の遊技機用ユニット９が取り付けられている。この遊技機用ユニット９は、遊技者に酸素を供給するために周知の呼出ランプユニット１１の近傍に並んで設置されている。又、環境装置７は、遊技島３内に配設された酸素供給ダクト１３に連結されている。
【００２４】
この遊技機用ユニット９は、図１の（Ａ）、（Ｂ）に示すように、酸素供給ダクト１３から供給を受けた酸素を後述するように所定量だけ遊技者に吹き付ける機能を有する酸素吹出部１５と、この酸素吹出部１５を制御する制御部１７とを備えている。酸素吹出部１５は、図２の遊技機用ユニット９の構成を示すブロック図に示すように、酸素供給ダクト１３に連結されている開口部１９と、その開口部１９の開口面積を増減する弁部２１と、水平方向に移動する駆動機構やリンクから構成された弁移動部２３とを備え、弁移動部２３が弁部２１を矢印ＹＡ方向に移動させて、酸素の吹き出しが全くない全閉位置Ｃと、酸素の吹き出しが半分位になる開位置Ｈと、酸素の吹き出しが最大になる全開位置Ｏとを有する。
【００２５】
この酸素吹出部１５を制御する制御部１７は、遊技機用ユニット９内に格納されたマイクロコントローラチップを主要部とするマイクロ制御ユニット（略してＭＰＵ）２５と、遊技機用ユニット９の外面に面する位置に設置された炎センサ２７と、遊技機５の図示しない外部端子板のスタート信号端子２９に接続されるスタート信号入力端子３１とを備え、炎センサ２７とスタート信号入力端子３１とから入力した信号に基づいて、詳細を後述するように弁移動部２３を駆動制御する。
【００２６】
図３は、既述した酸素供給ダクト１３に酸素を供給する酸素製造装置４１の構成を説明するためのブロック図である。
この酸素製造装置４１は、空気中の窒素や二酸化炭素を除去することで、酸素濃度を高くする装置であって、吸引した空気を清浄する空気清浄機４３と、その空気からゼオライト等の吸着剤で窒素や二酸化炭素を吸着して、酸素分圧を高めることで酸素の濃度を高くする酸素濃縮機４５と、酸素濃度の高くなった空気を所定の圧力まで加圧する吸引加圧ポンプ４７と、加圧後の空気にフィトンチッドを噴出するフィトンチッド噴出機４９とから構成されている。尚、吸引加圧ポンプ４７は、加圧圧力を所定値に維持する制御を行う。これにより、遊技機用ユニット９による酸素の供給量が減少するほど酸素製造装置４１の消費エネルギが低減され、克つ酸素濃縮機４５の吸着剤の消耗も低減される。
【００２７】
酸素濃度の高くなった空気（省略して単に酸素とも記す。）は、血液中の不純物の浄化、この浄化による血流を良くする作用、血流を良くすることによる血圧と心拍数の安定、糖分を分解して、燃焼させる働き、アルコールを燃焼して分解を助ける作用、疲労物質の分解と有酸素運動と同じ体力の増加、免疫システムの強化と脂肪の分解、大脳による自律神経系の免疫システムの強化、脳の活性化などの効果が期待できる。
【００２８】
又、フィトンチッドは、周知の森林浴効果を発揮する芳香剤であって、自律神経の安定効果、肝機能の改善効果、消臭、脱臭効果、抗菌、防虫効果がある。
これらの効果が期待される酸素が酸素製造装置４１によって、酸素供給ダクト１３に供給される。
【００２９】
次に、遊技機用ユニット９によって行われる図４に示す遊技機用ユニット制御処理ルーチンのフローチャートに基づいて、酸素の供給量の制御を説明する。
この遊技機用ユニット制御処理がマイクロ制御ユニット２５で所定時間毎（数ｍｓｅｃ毎）に起動されると、先ずスタート信号入力端子３１から遊技機５が遊技者によって、稼働されていることを反映するスタート信号入力を行い（Ｓ１００）、次いで炎センサ２７から遊技機５の近傍でタバコが吸われていることを示す炎センサ信号入力を行って（Ｓ１１０）、始めに、スタート信号入力したかを判断し（Ｓ１２０）、スタート信号が入力していれば、遊技機５を遊技者が操作し、酸素要求量が増加していると判断して、弁部２１を酸素の吹き出しが半分位になる開位置Ｈにする制御を３０秒間維持する開位置３０秒の制御を行う（Ｓ１３０）。又、スタート信号が入力していなければ、遊技機５を遊技者が操作していないことから、酸素の吹き出しが必要ではないと判断して、そのまま、次ぎに、移行して、炎センサ信号入力かを判断し（Ｓ１４０）、入力していれば、遊技機５の近傍でタバコが吸われて、酸素要求量が最大になっていると判断して、酸素の吹き出しが最大になる全開位置Ｏを３０秒間維持する全開位置３０秒の制御を行う（Ｓ１５０）。一方、炎センサ信号が入力していなければ、タバコによる酸素要求量の増加がないことから、そのまま本遊技機用ユニット制御処理を一旦終了する。
【００３０】
以上のＳ１００〜Ｓ１５０の処理が繰り返し実行されることにより、遊技機５の近傍の酸素要求量の有無、大小を判断して、その酸素要求量に見合った酸素を供給することが出来る。
これにより、酸素を必要としている所に酸素の供給を行うことで、遊技者の居る近傍の空気の汚れや酸素濃度の低下が改善され、しかも単調な遊技の継続による睡魔も覚醒され、遊技場の稼働率が向上され、集客率やリターン率も向上し、遊技場の経営に悪影響を与える不具合が除去されて、良好になるとともに、無用な酸素の供給を抑えることによる省エネ、省資源効果をも得ることが可能になる。
【００３１】
次に、他の実施の態様を説明する。
図５は、遊技場１０１の一部分の平面図、図６は、遊技場１０１の環境装置１０７の一部分のブロック図である。
遊技場１０１は、遊技機１０５が取り付けられた遊技島１０３の上方に位置する天井１０６から、酸素要求量の大きいエリアに的を定めて供給する酸素によって、遊技場１０１内の空気の状態が良好に制御されるものであって、そのために、天井１０６に配設された酸素供給ダクト１１３と、この酸素供給ダクト１１３に接続され、開口面積をリモコンで増減可能なリモコンダンパ付アネモ１１５と、このリモコンダンパ付アネモ１１５間に配設され、遊技場１０１内の浮遊粉塵やタバコの煙等を除去する吸塵式の空気清浄機１１７とを備えている。
【００３２】
遊技場１０１内に酸素を供給する酸素供給ダクト１１３は、図６に示す酸素製造装置１４１に接続されている。この酸素製造装置１４１は、既述した酸素製造装置４１とほぼ同様の構成であるが、下記に示すように酸素の製造量を外部から制御可能な構成を有する。
【００３３】
即ち、酸素製造装置１４１は、吸入した空気からちりやタバコの煙などの微粒子を除去する微粒子除去型の空気清浄機１４３と、この空気清浄機１４３が吐出した空気から窒素と二酸化炭素を除去すると共に、この除去能力の制御機能を有する酸素濃縮機１４５と、酸素濃縮機１４５から吐出された酸素が濃縮された空気（単に酸素と記した場合もある。）を酸素供給ダクト１１３に圧送する圧縮機１４７とから構成され、マイクロコンピュータなどから構成された環境制御装置１４９からの指令（指令内容は後述する。）に基づいて、所定の酸素濃度で、所定の圧力の空気を酸素供給ダクト１１３に供給する。
【００３４】
又、酸素供給ダクト１１３には、フィトンチッド噴出機１５１が取り付けられ、この酸素供給ダクト１１３内にフィトンチッド噴出して、酸素が濃縮された空気にフィトンチッドを添加する。
所定の酸素濃度の空気を作る酸素濃縮機１４５は、圧縮機１４７から要求される最大空気量分の酸素が濃縮された空気を、所定の酸素濃度で供給する能力を有し、環境制御装置１４９からの指令に基づいて、その供給する空気の酸素濃度を通常の空気の濃度（約２２パーセント）まで無段階に低下させる機能を有する。ここでは、この濃度の調整は、窒素や二酸化炭素を吸着させる吸着部（図示省略）と、この吸着部を迂回させる空気を通すバイパス路（図示省略）と、吸着部を迂回する空気量を増減するために、バイパス路の開口面積を増減するダンパ（図示省略）とを設け、このダンパの開口面積の調整による迂回空気量の増減によって行う。例えは、最大濃度の酸素を最大量供給する場合は、ダンパが全閉にされて、全空気量が吸着部を通過するようにする。逆に、酸素の供給を最小にする場合には、ダンパは、全開にされて、殆どの空気が吸着部を迂回するようにする。
【００３５】
又、圧縮機１４７は、酸素の供給量に対応して、酸素供給ダクト１１３に供給する酸素の圧力を増減する。例えば、最大濃度の酸素を最大量供給する場合は、圧力を最大にする。逆に、酸素の供給を最小にする場合には、圧力を最小にする。酸素の供給を停止する場合は、酸素の圧送を停止する。
【００３６】
酸素製造装置１４１を制御する環境制御装置１４９は、遊技場１０１内の遊技機１０５から情報を収集して、遊技場１０１の運営、管理に用いられるホールコンピュータ１５３に接続され、このホールコンピュータ１５３から遊技場１０１内で現在遊技者によって実際に稼働されている遊技機１０５の情報を入力する。例えば、遊技球の発射が１分間に１０個以上（適宜設定される値である）発射している遊技機１０５の番号の情報、或いはスタート信号を１分間に１回以上（適宜設定される値である）出力している遊技機１０５の番号を入力する。尚、実際に稼働中の遊技機１０５を判断する手法は、どの様な方法でも良い。
【００３７】
又、環境制御装置１４９は、図５に一部を示したリモコンダンパ付アネモ１１５と、図６に説明した酸素濃縮機１４５と、圧縮機１４７とに接続され、リモコンダンパ付アネモ１１５には、ダンパ開度（パーセント）を指示するダンパ開度信号を出力し、酸素濃縮機１４５には、酸素生成量（パーセント）を指示する酸素生成量信号を出力し、圧縮機１４７には、停止、最低負荷運転、中間負荷運転、最大負荷運転を指示する出力信号を出力する。圧縮機１４７を停止することにより、酸素供給ダクト１１３内への加圧を停止して、遊技場１０１内への酸素の供給を停止する。又、最低負荷運転を行うことにより、酸素供給ダクト１１３内に最低限の加圧が行われ、中間負荷運転を行うことで、酸素供給ダクト１１３内に中間の加圧が行われ、最大負荷運転を行うことで、酸素供給ダクト１１３内に最大の加圧が行われる。これにより、遊技場１０１の遊技客の数、即ち定員率が大きく変動しても、後述するように、酸素の生成量（酸素の製造量と同様の意味である。）や加圧状態がそれに応じて変更されるので、各リモコンダンパ付アネモ１１５からは、遊技客が増減しても、常にダンパ開度に大体応じた酸素の供給が行われる。尚、ここで示した値は試験によって、適切な値を決定することが可能である。
【００３８】
図７は、環境制御装置１４９によって繰り返し実行される酸素供給制御処理ルーチンのフローチャートである。
先ず、ホールコンピュータ１５３から現在稼働している遊技機１０５の台数、つまり遊技機稼働台数入力を行う（Ｓ２００）。ここで入力する遊技機稼働台数は、ホールコンピュータ１５３によって、予め図示しない稼働台数算出処理によって求められている。
【００３９】
次いで、ホールコンピュータ１５３からこのホールコンピュータ１５３によって、予め図示しないレベル算出処理によって求めれていたエリア毎のレベルを示すレベル入力処理を行う（Ｓ２１０）。このエリア毎のレベルは、遊技場１０１を各リモコンダンパ付アネモ１１５が酸素を供給するエリア毎に区分けして、リモコンダンパ付アネモ１１５がそのエリアの酸素要求量を満たす酸素を供給するための指針となる値であって、次のような手法で算出される。
【００４０】
先ず、リモコンダンパ付アネモ１１５の受け持ちエリアの遊技機１０５の番号を決定する。この番号は、実際の遊技場１０１の配置などを参考にして、予め決定する。次いで、エリア毎に登録されている遊技機１０５の番号の遊技機１０５が実際に稼働しているかを判断して、その稼働台数を求める。
【００４１】
【表１】
2004121550.tif 000003
【００４２】
例えば、表１に示すように、エリアが受け持つ遊技機１０５が１０台の場合に、実際の稼働台数が０〜４台の場合には、殆ど稼働しておらず、酸素要求量が小さいと判断して、レベル１とする。又、稼働台数が５〜６台の場合には、一人置きに稼働しており、遊技場の込み具合が許容できる範囲であり、酸素要求量が中位であると判断して、レベル２とする。
【００４３】
或いは、稼働台数が７〜１０台である場合には、殆ど空きなしで隣にも遊技者がいて、圧迫感を感じ、酸素要求量が大きくなっていると判断して、レベル３とする。
この様に求められたレベルの値が、リモコンダンパ付アネモ１１５を特定する情報と共に、環境制御装置１４９に入力される。
【００４４】
【表２】
2004121550.tif 000004
【００４５】
エリア毎のレベル入力後、次にＳ２００で読み込んだ遊技機稼働台数入力の値に基づいき、表２に示す様な定員率・酸素生成量変換テーブルを参照して、酸素生成量の決定・指令を行う（Ｓ２２０）。
ここで求められる酸素生成量は、表２に示すように、遊技場１０１の定員、ここでは遊技機１０５の台数に対する実際に稼働している遊技機１０５の台数のパーセントの値に応じて、決定される。例えば、定員率が０〜１０パーセントでは、酸素生成量を０パーセント、定員率が１１〜２０パーセントでは、酸素生成量を１０パーセント、定員率が２１〜３０パーセントでは、酸素生成量を２０パーセント、定員率が３１〜５０パーセントでは、酸素生成量を５０パーセント、定員率が５１〜１００パーセントでは、酸素生成量を１００パーセントとする。これにより、遊技場１０１内の混み方や人数に応じて、酸素要求量が増大するとして、遊技場１０１内に供給する酸素の量を増加することが出来る。
【００４６】
ここで求められた酸素生成量は、既述したように酸素製造装置１４１に指令され、酸素濃縮機１４５と、圧縮機１４７の作動状態を制御して、酸素製造量に反映される。ここでは、酸素濃縮機１４５の酸素の生成量をＳ２２０で算出した酸素生成量に制御し、圧縮機１４７への出力信号を表２の様にする。尚、これらの制御は、実験によって、適切な値が決定される。
【００４７】
次に、Ｓ２１０で読み込んだエリア毎のレベルに基づき、表１を参照して、エリア毎にリモコンダンパ付アネモ１１５の開口面積（開度）を算出し、その算出した開度を各エリア毎に各リモコンダンパ付アネモ１１５に指令するリモコンダンパの開度を指令する処理を行う（Ｓ２３０）。
【００４８】
これにより、既述したように、リモコンダンパ付アネモ１１５の受け持ちエリア、つまりそのリモコンダンパ付アネモ１１５の近傍に遊技客が多ければ酸素要求量が大きいとして、酸素を多く供給し、そのリモコンダンパ付アネモ１１５の近傍に遊技客が少なければ酸素要求量が殆ど増加していないとして酸素の供給を停止する制御が行われる。
【００４９】
従って、遊技場１０１をリモコンダンパ付アネモ１１５が酸素を供給するエリア毎に区分けして、そのエリア内の酸素要求量を求め、その要求量に応じた酸素を供給することが可能になる。従って、酸素を必要としている所に酸素の供給を行うことで、遊技者の居る近傍の空気の汚れや酸素濃度の低下が改善され、しかも単調な遊技の継続による睡魔も覚醒され、遊技場の稼働率が向上され、集客率やリターン率も向上し、遊技場の経営に悪影響を与える不具合が除去されて、良好になるとともに、無用な酸素の供給を抑えることによる省エネ、省資源効果をも得ることが可能になる。
【００５０】
以上に説明した遊技場１の環境装置７、及び遊技場１０１の環境装置１０７では、遊技機５、１０５の稼働数から求めた遊技者の数や比率に基づいて、酸素要求量の増大を推定し、酸素の供給量を増加させて、遊技者に快適な環境を提供すると共に、資源やエネルギの消費量の低減をも図る構成であるが、これに替えて、又は加えて、次のようにしても同様の作用効果が得られる。
【００５１】
▲１▼空気中に含まれる微粒子の数を直接検出するセンサ、例えば微粒子による光の遮蔽作用を利用して、微粒子を検出する光学式微粒子センサや微粒子による電流増加作用を利用して、微粒子を検出するイオン式微粒子センサがタバコの煙やちり、埃等を検出した場合に、酸素濃度を増加させた空気流を供給する様にしても良い。この様にすることで、タバコの煙害が低減され、遊技者の周囲の環境が良好になる。
【００５２】
▲２▼酸素濃度、又は二酸化炭素濃度を検出するガスセンサを設け、酸素濃度の低下、或いは二酸化炭素濃度の増加を検出した場合に、酸素濃度を増加させた空気流を供給する様にしても良い。この様にすることで、遊技者密度の過大による息苦しさ感や不快感を酸素濃度の増加によってリフレッシュさせることが出来、環境悪化が改善される。又、遊技場の収容数の増加を図ることが可能になる。
【００５３】
▲３▼遊技機を管理するホールコンピュータから外れ遊技の継続時間や発射数が過大になったことを示す信号、或いは外れ遊技の継続時間や発射数を入力して、遊技者の嫌悪感や飽き感を判断し、酸素濃度を増加させた空気流を供給する様にしても良い。この様にすることで、遊技者の意識や意思が活性化され、遊技の継続意欲を発揮させることが可能になる。従って、遊技機の稼働率の増加が図れ、遊技場の売り上げの向上を図ることが可能になる。
【００５４】
▲４▼図７のＳ２００で行われる遊技機５の稼働数、或いは遊技機５を操作している遊技者の数の入力をホールコンピュータ１５３から入力することに替えて、人センサ（赤外線式の人体検出センサ）を用いても良い。
次に特許請求の範囲の構成と、発明の実施の形態との対応を説明する。
【００５５】
請求項１の遊技機は、遊技機５、１０５、遊技場は、遊技場１、１０１、酸素製造手段は、酸素製造装置４１、１４１、環境検出手段は、炎センサ２７、スタート信号入力端子３１、ホールコンピュータ１５３、酸素要求状態判断手段は、マイクロ制御ユニット２５による図４のＳ１２０、Ｓ１４０の判断処理、環境制御装置１４９による図７のＳ２２０の処理、酸素供給手段は、Ｓ１３０、Ｓ１５０の処理と、酸素吹出部１５、Ｓ２３０の処理と、リモコンダンパ付アネモ１１５が対応する。
【００５６】
請求項２、及び請求項３の環境検出手段は、尚書きの記載内容が対応する。炎の検出は、炎センサ２７によって行われる。
【図面の簡単な説明】
【図１】遊技場１の遊技島３に取り付けられている遊技機５の状態を示す説明図である。
【図２】遊技機用ユニット９の構成を示すブロック図である。
【図３】酸素供給ダクト１３に酸素を供給する酸素製造装置４１の構成を説明するためのブロック図である。
【図４】遊技機用ユニット制御処理ルーチンのフローチャートである。
【図５】遊技場１０１の一部分の平面図である。
【図６】遊技場１０１の環境装置１０７の一部分のブロック図である。
【図７】環境制御装置１４９によって繰り返し実行される酸素供給制御処理ルーチンのフローチャートである。
【符号の説明】
１、１０１・・・遊技場、３、１０３・・・遊技島、
５、１０５・・・遊技機、７、１０７・・・環境装置、
９・・・遊技機用ユニット、１１・・・呼出ランプユニット、
１３、１１３・・・酸素供給ダクト、１５・・・酸素吹出部、
１７・・・制御部、１９・・・開口部、
２１・・・弁部、２３・・・弁移動部、
２５・・・マイクロ制御ユニット（略してＭＰＵ）
２７・・・炎センサ、２９・・・スタート信号端子、
３１・・・スタート信号入力端子、４１、１４１・・・酸素製造装置、
４３、１４３・・・空気清浄機、４５、１４５・・・酸素濃縮機、
４７・・・吸引加圧ポンプ、４９、１５１・・・フィトンチッド噴出機、
１０６・・・天井、１１５・・・リモコンダンパ付アネモ、
１１７・・・空気清浄機、１４７・・・圧縮機、
１４９・・・環境制御装置、１５３・・・ホールコンピュータ、
Ｃ・・・全閉位置、Ｈ・・・開位置、Ｏ・・・全開位置
【図１】
2004121550.tif 000005
【図２】
2004121550.tif 000006
【図３】
2004121550.tif 000007
【図４】
2004121550.tif 000008
【図５】
2004121550.tif 000009
【図６】
2004121550.tif 000010
【図７】
2004121550.tif 000011